(57)【特許請求の範囲】
【請求項１】
棚板上に陳列される商品の存在位置を強調するとともに商品名や価格等を表示する所定サイズのポップ紙を保持するポップ紙保持装置であって、
所定大きさの透明な正面板と背面板を有し、この正面板と背面板間に前記ポップ紙が挟持状態に収納されるように構成され、かつ前記背面板の上端箇所に前記背面板の裏側へ折り重ねるように形成された連結部を有するカードケースと、
前記連結部と係脱可能に係合して前記カードケースを前記棚板の前面側に揺動可能に吊持するヒンジ部を有する、前記棚板に対し着脱可能に支持されるアタッチメントと、を備えるものであって、
前記カードケースの連結部と係脱可能に係合するものが、前記ヒンジ部の揺動端の前面側へ折り重なるように形成されたアタッチメント側の連結部であることを特徴とするポップ紙保持装置。
【請求項２】
前記カードケースは、前記ポップ紙の高さ寸法に対応する高さと前記棚板の長手方向のほぼ全長に亘り延在する長さを有することを特徴とする請求項１記載のポップ紙保持装置。
【請求項３】
前記アタッチメントにより支持された前記カードケースは前記ヒンジ結合部を支点にして前記棚板の前面を覆う第１の位置と前記棚板の前面を開放する第２の位置間で回動されることを特徴とする請求項１又は２記載のポップ紙保持装置。
【請求項４】
前記アタッチメントは、前記棚板の前方側に設けられた支持部材により支持されていることを特徴とする請求項１〜３のいずれか１項記載のポップ紙保持装置。
【請求項５】
前記棚板の前面箇所に該棚板の長手方向のほぼ全長に亘り延在して設けられたプライスレールを備え、前記支持部材は前記プライスレールに着脱可能に装着されるか、前記棚板と前記プライスレール間で形成される前方棚板溝に着脱可能に装着されるか、あるいは棚板に両面テープで固定されるポスレールから構成されることを特徴とする請求項４記載のポップ紙保持装置。
【請求項６】
前記ポスレールは、前記プライスレールの長手方向のほぼ全長に亘り延在する長さを有すると共に、前記商品の商品名や価格及びバーコードを付したプライスカードが差し込み状態に収納される透明なカードホルダー部と、このカードホルダー部の上端に上方に向け所定の高さに延在すると共にカードホルダー部の全長に亘り形成された転び止め片を備え、前記アタッチメントは前記転び止め片に取り付けられるように構成されていることを特徴とする請求項５記載のポップ紙保持装置。
【請求項７】
前記アタッチメントは、一対ものであって、それぞれが前記転び止め片に当該転び止め片の両面を挟持するように転び止め片の上端側から係脱可能に係合される挟持部を備え、この挟持部の上端に前記ヒンジ部が挟持部の前面側で上下方向に回動できるように枢着されていることを特徴とする請求項６記載のポップ紙保持装置。
【発明の詳細な説明】
【０００１】
【発明の属する技術分野】
本発明は、スーパーマーケットやドラッグストア等において、ゴンドラや青果冷蔵ケース、鮮魚・精肉冷蔵ケース等に陳列される催事品や特売品などの告知に際し、これら商品を他の商品より目立つように表示するためのポップ紙を保持するのに好適なポップ紙保持装置に関するものである。
【０００２】
【従来の技術】
従来、スーパーマーケットやドラッグストア等において、ゴンドラや青果冷蔵ケース等に陳列される催事品や特売品などの告知に際し、これら商品の存在及び商品名や価格等を他の商品より目立つように表示するポップ紙の保持方式としては、催事品や特売品などの告知内容を表示したポップ紙（１８５×６６ｍｍ）を透明な板状のカードケース内に挿入し、このカードケースをクリップ等の取付具により、上記陳列商品の前にある棚板のプライスレール等に取り付けるようにしている。
【０００３】
【発明が解決しようとする課題】
しかし、上記のような従来の方式は、ポップ紙を挿入したカードケースを陳列商品の前に棚板のプライスレール及びカードケース用のクリップ等を利用して取り付ける構成になっているため、プライスレールに取り付けられている通常のプライスカードがカードケースにより覆われてしまう。その結果、このプライスカードに印刷されているバーコードを読取機でスキャンしようとする場合には、カードケースをプライスレールから取り外す必要があり、かつ、その取り付け、取り外しの操作が煩雑になるほか、取り外した時のカードケースの管理も面倒になるという問題がある。
【０００４】
本発明の目的は、上記課題を解決するものであって、特定の陳列商品の商品名や価格を他の商品より目立たせるためのポップ紙を収容するカードケースを取り外すことなく、プライスレールまたはポップレールに差し込まれたプライスカードのバーコードの読み取りを容易に行うことができるとともにカードケースの操作及び管理を簡便にし、併せてカードケースの存在をより効果的に演出できるようにしたポップ紙保持装置を提供することにある。
【０００５】
【課題を解決するための手段】
かかる実情において、本発明者ら鋭意検討を行った結果、本発明を完成するに至った。すなわち、本発明は、棚板上に陳列される商品の存在位置を強調するとともに商品名や価格等を表示するポップ紙を保持するポップ紙保持装置であって、所定大きさの透明な正面板と背面板を有し、この正面板と背面板間に前記ポップ紙が挟持状態に収納されるように構成され、かつ前記背面板の上端側に前記背面板の裏側へ折り重ねるように形成された連結部を有するカードケースと、前記棚板に対し着脱可能に支持され、かつ前記連結部と係脱可能に係合して前記カードケースを前記棚板の前面側に揺動可能に吊持するヒンジ部を有する、前記棚板に対し着脱可能に支持されるアタッチメントと、を備えるものであって、前記カードケースの連結部と係脱可能に係合するものが、前記ヒンジ部の揺動端の前面側へ折り重なるように形成されたアタッチメント側の連結部であるポップ紙保持装置を提供するものである。
【０００６】
また、本発明は、前記カードケースが、前記ポップ紙の高さ寸法に対応する高さと前記棚板の長手方向のほぼ全長に亘り延在する長さを有することを特徴とする。また、本発明は、前記アタッチメントにより支持された前記カードケースが前記ヒンジ結合部を支点にして前記棚板の前面を覆う第１の位置と前記棚板の前面を開放する第２の位置間で回動されることを特徴とする。また、本発明は、前記アタッチメントが、前記棚板の前方側に設けられた支持部材により支持されていることを特徴とする。また、本発明は、前記棚板の前面箇所に該棚板の長手方向のほぼ全長に亘り延在して設けられたプライスレールを備え、前記支持部材は前記プライスレールに着脱可能に装着されるか、前記棚板と前記プライスレール間で形成される前方棚板溝に着脱可能に装着されるか、あるいは棚板に両面テープで固定されるポスレールから構成されることを特徴とする。また、本発明は、前記ポスレールが、前記プライスレールの長手方向のほぼ全長に亘り延在する長さを有すると共に、前記商品の商品名や価格及びバーコードを付したプライスカードが差し込み状態に収納される透明なカードホルダー部と、このカードホルダー部の上端に上方に向け所定の高さに延在すると共にカードホルダー部の全長に亘り形成された転び止め片を備え、前記アタッチメントは前記転び止め片に取り付けられるように構成されていることを特徴とする。また、本発明は、前記アタッチメントが、一対ものであって、それぞれが前記転び止め片に当該転び止め片の両面を挟持するように転び止め片の上端側から係脱可能に係合する挟持部を備え、この挟持部の上端に前記ヒンジ部が挟持部の前面側で上下方向に回動できるように枢着されていることを特徴とする。
【０００７】
かかる構成を採ることにより、本発明のポップ紙保持装置はポップ紙を収容したカードケースが、棚板に着脱可能に支持されたアタッチメントのヒンジ部により前記第１の位置と第２の位置間で回動可能に吊持されていることにより、カードケースが第１の位置にある時は棚板の前面を覆う状態に吊持され、また、カードケースが第２の位置にある時は棚板の前端面を開放するから、カードケースを取り外すことなく、プライスレールまたはポップレールに差し込まれたプライスカードのバーコードを容易に読み取ることができると共に、カードケースの操作及び管理が簡便になる。
また、本発明によれば、アタッチメントの支持部材にポスレールを使用し、このポスレールの転び止め片にアタッチメントを取り付けてカードケースを揺動可能に吊持することにより、カードケースの高さ寸法をポスレールのカードホルダー部の高さ寸法の２倍以上にすることができ、これにより、カードケースを利用して売場コーナーのイメージ演出のためのカラーモールをセットする場合にカラーモールの高さを従来のポスレールを利用して行う場合より２倍以上にすることができる。また、カードケースが不要な場合、カードケースをアタッチメントごと取り外すことができるため、ポスレールまたはプライスレールを利用して通常のプライスカードによる陳列商品の商品名及び価格の表示が可能になる。また、カードケースの大きさをポップ紙の高さ寸法に対応する高さと棚板またはポスレールの長手方向のほぼ全長に亘り延在する長さを有する大きさにすることにより、ゴンドラ等における棚板上の陳列商品の存在位置を更に強調することができるほか、複数のポップ紙を同一のカードケースにセットすることが可能になる。
【０００８】
【発明の実施の形態】
本発明にかかるポップ紙保持装置の実施の形態について、図１〜図３を参照して説明する。図１は本発明の実施の形態におけるポップ紙保持装置の全体の構成を示す斜視図、図２は本発明の実施の形態におけるポップ紙保持装置の側面図、図３は本発明の実施の形態におけるポップ紙保持装置のポスレールと該ポスレールにカードケースを保持するためのアタッチメントの側面図、図４は本発明の実施の形態におけるポップ紙保持装置のアタッチメントの斜視図である。
【０００９】
図１及び図２において、陳列商品のポップ紙保持装置は、ポップ紙１０を収納するカードケース２０、このカードケース２０を商品陳列用棚板３０の前面に保持するための支持部材を構成するポスレール４０、及びカードケース２０をポスレール４０に揺動可能に吊持するアタッチメント５０等を備える。
上記カードケース２０は、ポップ紙１０のサイズ（例えば、６６ｍｍ×１８５ｍｍ）に対応する大きさで、透明な硬質合成樹脂材からなる正面板２０１と背面板２０２を有し、この正面板２０１と背面板２０２は互いに重ね合わされているとともに、この正面板２０１と背面板２０２間にポップ紙１０が挟持状態に保持できるように正面板２０１及び背面板２０２の下端縁は断面が円弧状をなす連接部２０３により一体に連接され、そして、その上端部及び左右両端部はポップ紙１０の差し込み及び抜き取りが可能なように開放されている。
また、上記背面板２０２の上端には、背面板２０２の裏面側へ折り重なるように曲げ加工により形成された連結部２０４が設けらている。
【００１０】
上記商品陳列用の棚板３０は、スーパーマーケットやドラッグストアなどに設置されるゴンドラや青果冷蔵ケース等のフレーム本体に水平に取り付けられるもので、この棚板３０の前端面には、棚板３０上の陳列商品に対する商品名や価格を表示したプライスカード（図示せず）を取り付けるプライスレール３０１が棚板３０の長手方向（幅方向）の全長に延在して設けられている。
【００１１】
請求項の支持部材に相当する上記ポスレール４０は、透明な硬質合成樹脂材から一体に成形されるもので、プライスレール３０１の長手方向のほぼ全長に亘り延在する長さを有すると共に陳列商品の商品名や価格及びバーコードを付したプライスカード６０が差し込み状態に収納されるカードホルダー部４０１と、このカードホルダー部４０１の上端に上方に向け所定の高さに延在すると共にカードホルダー部４０１の全長に亘り形成された転び止め片４０２と、カードホルダー部４０１の背面箇所にカードホルダー部４０１の長手方向の全長に亘り設けられプライスレール３０１に係脱可能に係合される弾性を有する係止片４０３と、カードホルダー部４０１との連結基部４０４に対応する転び止め片４０２の背面箇所に転び止め片４０２の長手方向に全長に亘り設けられ、棚板３０上に配設される仕切板（図示せず）が係合される係合部４０５を備えている。
【００１２】
上記アタッチメント５０は、ポスレール４０の転び止め片４０２に当該転び止め片４０２の上端側から係脱可能に係合される合成樹脂製の挟持部５０１と、この挟持部５０１の上端にピン５０２により挟持部５０１の前面側で上下方向に回動可能に枢着されたヒンジ部５０３を備えている。
上記挟持部５０１は、転び止め片４０２を前後両面から挟持する一対の挟持片５０１Ａ、５０１Ｂから構成され、転び止め片４０２の前面に接する挟持片５０１Ａの下端部５０１Ｃは前方へ斜めに曲げ加工され、この下端部５０１Ｃを連結基部４０４の上面に当接させることで、挟持部５０１の転び止め片４０２への係合深さを規制する。また、挟持片５０１Ａの上端寄り内面箇所には、転び止め片４０２上端縁に設けた突条４０２Ａに係合する突条５０１Ｄを設けられており、この突条５０１Ｄを突条４０２Ａに係合することにより、アタッチメント５０の挟持部５０１が転び止め片４０２からみだりに外れないようになっている。
また、上記ヒンジ部５０３は、その揺動端の前面側へ折り重なるように曲げ加工により形成された連結部５０４を備え、この連結部５０４にはカードケース２０の連結部２０４が係脱可能に係合される。
【００１３】
上記のように構成された本実施の形態において、カードケース２０をポスレール４０に取り付ける場合は、まず、ポスレール４０の係止片４０３を棚板３０の前端面に設けたプライスレール３０１に係合することによりポスレール４０をプライスレール３０１に取り付ける。かかる状態で、一対のアタッチメント５０をカードケース２０の長さより短い間隔離して、それぞれの挟持部５０１をポスレール４０の転び止め片４０２に、その上端側から係合してアタッチメント５０をポスレール４０に取り付ける。その後、特売品や催事品である旨及びその商品名や価格等を表示したポップ紙１０を収納したカードケース２０の連結部２０４をアタッチメント５０のヒンジ部５０３の連結部５０４に係合する。この状態でカードケース２０をヒンジ部５０３により吊り下げ状態にすれば、カードケース２０は図１及び図２に示すようにポスレール４０の前面を覆う第１の位置Ｐ１に保持され、このカードケース２０により棚板３０上の商品が特売品や催事品である旨を強調することができる。
【００１４】
また、図１及び図２に示すように、ポスレール４０に収納されたプライスカード６０のバーコードを携帯の読取器により読み取る場合は、カードケース２０を図２の仮想線に示す第２の位置へ回動することにより、カードケース２０はポスレール４０の前面を開放するから、ポスレール４０が前面に表れることになり、これにより、ポスレール４０のカードホルダー部４０１に収容されたプライスカード６０のバーコードを読取器で読み取ることができる。
【００１５】
したがって、本実施の形態によれば、アタッチメント５０の挟持部５０１をポスレール４０の転び止め片４０２に取り付け、このアタッチメント５０のヒンジ部５０３にカードケース２０を連結することにより、ポスレール４０の前面を覆う第１の位置とポスレール４０の前面を開放する第２の位置間で回動できるように吊持する構成にしたので、カードケース２０を第２の位置に回動することにより、ポップ紙１０を収容するカードケース２０をポスレール４０から取り外すことなく、ポスレール４０のプライスカード６０に付されたバーコードを容易に読み取りことができるとともにカードケース２０へのポップ紙１０の入れ替えも可能になり、これにより、カードケース２０の操作及び管理が簡便になる。また、アタッチメント５０はカードケース２０により覆われて正面に表れないため、見た目にもよく、すっきりした様相を呈することができる。
【００１６】
また、本実施の形態におけるカードケース２０はポスレール４０の転び止め片４０２に取り付けたアタッチメント５０により吊持するから、カードケース２０の高さ寸法をポスレール４０のカードホルダー部４０１の高さ寸法の２倍以上にすることができ、これに伴い、カードケース２０を利用して売場コーナーのイメージ演出のためのカラーモールをセットする場合、カラーモールの高さを従来のポスレールを利用して行う場合より２倍以上にすることができ、売場コーナーのイメージ演出をより効果的に行うことができる。
また、本実施の形態によれば、カードケース２０が必要でない場合には、カードケース２０をアタッチメント５０ごとポスレール４０から取り外すことができるため、ポスレール４０を利用して通常のプライスカード６０による陳列商品の商品名及び価格を表示することが可能になる。
【００１７】
次に、図５により本発明にかかるポップ紙保持装置の他の実施の形態について説明する。図５は本発明の他の実施の形態におけるポップ紙保持装置の側面図である。図５において、図１及び図２と同一の構成要素には同一符号を付してその構成説明を省略し、図１及び図２と異なる部分を重点に述べる。図５からも明らかなように、図１及び図２と異なる点はカードケース２０の棚板への支持部材として機能するポスレール４０にある。このポスレール４０は係止片４０３を変形した構造になっている。すなわち、係止片４０３ａは連結基部４０４から下方に延出された一つの片状であり、プライスレール３０１に形成された係合溝（不図示）に係合できるようにしたものである。そして、カードケース２０のアタッチメント５０を支持するための支持片７０が、カードホルダー部４０１と仕切板用係合部４０５との連結基部４０４に鉛直に設けられ、この支持片７０にアタッチメント５０の挟持部５０１が支持片７０の上端側から係脱可能に係合されるように構成されている。また、支持片７０の上端には、挟持部５０１を構成する挟持片５０１Ａの段部５０１Ｅに係止する突条７０１が形成されている。この突条７０１は、アタッチメント５０の挟持部５０１が支持片７０からみだりに外れのを防止するためのものである。上記のように構成されたポップ紙保持装置においても、上記図１及び図２に示す実施の形態と同様な作用効果が得られる。
【００１８】
なお、上記実施の形態では、カードケース２０の大きさをポップ紙１０のサイズ（６６ｍｍ×１８５ｍｍ）に対応する大きさにした場合について説明したが、本発明はこれに限定されない。例えば、カードケース２０の大きさをポップ紙１０の高さ寸法に対応する高さとポスレール４０の長手方向のほぼ全長に亘り延在する長さ（棚板３０の長手方向のほぼ全長に亘り延在する長さ）を有する大きさにしてもよい。この場合、カードケース２０はポスレール４０の前面を全長に亘り覆うことになり、ゴンドラ等における棚板上の陳列商品の存在位置を更に強調することができる他、複数のポップ紙１０を同一のカードケース２０にセットすることができる。また、上記実施の形態では、カードケース２０のアタッチメント５０をポスレール４０に取り付けることにより、カードケース２０を棚板３０の前端面に支持する場合について説明したが、本発明はこれに限らず、アタッチメント５０を棚板３０の前端面箇所に直接支持する構成にしてもよい他、棚板３０の前端面箇所に支持部材を設け、この支持部材にアタッチメント５０を係脱可能に取り付けるようにしてもよい。この場合、ポスレール４０は不要になり、そして、プライスカードは棚板３０の前端面に設けたプライスレールにセットされる。棚板３０の前端面箇所に支持部材を設ける手段としては、特に制限されず、例えば、両面テープあるいはマグネットなどの固定方法が挙げられる。
【００１９】
【発明の効果】
以上の説明から明らかなように本発明のポップ紙保持装置によれば、ポップ紙を収容したカードケースが、棚板に着脱可能に支持されたアタッチメントのヒンジ部により前記第１の位置と第２の位置間で回動可能に吊持されていることにより、カードケースが第１の位置にある時は棚板の前面を覆う状態に吊持され、また、カードケースが第２の位置にある時は棚板の前端面を開放するから、カードケースを取り外すことなく、プライスレールまたはポップレールに差し込まれたプライスカードのバーコードを容易に読み取りことができるとともにカードケースの操作及び管理が簡便になる。
【００２０】
また、本発明によれば、アタッチメントの支持部材にポスレールを使用し、このポスレールの転び止め片にアタッチメントを取り付けてカードケースを揺動可能に吊持することにより、カードケースの高さ寸法をポスレールのカードホルダー部の高さ寸法の２倍以上にすることができ、これにより、カードケースを利用して売場コーナーのイメージ演出のためのカラーモールをセットする場合にカラーモールの高さを従来のポスレールを利用して行う場合より２倍以上にすることができ、売場コーナーのイメージ演出をより効果的に行うことができる。
【００２１】
また、本発明によれば、カードケースが不要な場合、カードケースをアタッチメントごと取り外すことができるため、ポスレールまたはプライスレールを利用して通常のプライスカードによる陳列商品の商品名及び価格を表示することができる。
【００２２】
また、本発明によれば、カードケースの大きさをポップ紙の高さ寸法に対応する高さと棚板またはポスレールの長手方向のほぼ全長に亘り延在する長さを有する大きさにすることにより、ゴンドラ等における棚板上の陳列商品の存在位置を更に強調でき、同一のカードケースに複数のポップ紙をセットできるという効果を有する。
【図面の簡単な説明】
【図１】本発明の実施の形態におけるポップ紙保持装置の全体の構成を示す斜視図である。
【図２】本発明の実施の形態におけるポップ紙保持装置の側面図である。
【図３】本発明の実施の形態におけるポップ紙保持装置のポスレールと該ポスレールにカードケースを保持するためのアタッチメントの側面図である。
【図４】本発明の実施の形態におけるポップ紙保持装置のアタッチメントの斜視図である。
【図５】本発明の他の実施の形態におけるポップ紙保持装置の側面図である。
【符号の説明】
１０  ポップ紙
２０  カードケース
２０１  正面板
２０２  背面板
２０４  連結部
３０  棚板
３０１  プライスレール
４０  ポスレール
４０１  カードホルダー部
４０２  転び止め片
５０  アタッチメント
５０１  挟持部
５０３  ヒンジ部
６０  ライスカード
【図１】
0004582601.tif 000002
【図２】
0004582601.tif 000003
【図３】
0004582601.tif 000004
【図４】
0004582601.tif 000005
【図５】
0004582601.tif 000006